(57)【要約】  【課題】  市販のボルト杆や螺杆を利用できるようにして比較的安価に実施することのできる、横架材の接合装置を提供する。  【解決手段】  柱１の横架材２との接合面１ａに柱方向に漸次縮径するテーパ部７ｂを備えた受支突子３を突設し、該受支突子３を係合する係合溝１１を前記接合面１ａに当接する前記横架材の端面２ａに設ける。また、前記横架材２には、前記テーパ部７ｂに掛止する掛止杆１０の嵌挿孔１６を横設する。さらに、前記柱１と該柱１に組付けたボルト８の頭部８ａとの間に前記ボルト８を貫通させた受支筒７を介在させて前記受支突子３を構成し、該受支突子３の受支筒７に前記テーパ部を設ける。【選択図】    図１
2005097913.tif 000002
【特許請求の範囲】
【請求項１】
柱や胴差などの構造材の、梁や桁などの横架材との接合面に前記構造材方向に漸次縮径するテーパ部を備えた受支突子を突設し、該受支突子を係合する係合溝を前記接合面に当接する前記横架材の端面に設けると共に、前記横架材には、前記テーパ部に掛止する掛止杆の嵌挿孔を横設した、木造建物における横架材の接合装置において、前記構造材と該構造材に組付けたボルトの頭部又は螺杆に螺合したナットとの間に前記ボルト又は螺杆を貫通させた受支筒を介在させて前記受支突子を構成し、該受支筒に前記テーパ部を設けた、木造建物における横架材の接合装置。
【発明の詳細な説明】
【技術分野】
【０００１】
本発明は、木造建物の梁や桁などの横架材を柱や胴差などの構造材に接合するために適用する、木造建物における横架材の接合装置に関するものである。
【背景技術】
【０００２】
柱や胴差などの構造材の、梁や桁などの横架材との接合面に前記構造材方向に漸次縮径するテーパ部を備えたボルト頭部を突設し、該ボルト頭部を係合する係合溝を前記接合面に当接する前記横架材の端面に設けると共に、前記横架材には、前記テーパ部に掛止する掛止杆の嵌挿孔を横設した構造のものがある（例えば、特許文献１）
【０００３】
【特許文献１】特開２００２−１４６９１８号公報
【発明の開示】
【発明が解決しようとする課題】
【０００４】
前記従来例は、掛止杆がボルト頭部より外れないように（横架材が柱である構造材から離脱しないように）、或いは、掛止杆すなわち横架材の構造材方向への引き寄せが行われるように、ボルトの頭部を特殊形状としているため当該ボルトを特別に容易しなければならない。また、従来例は、ボルトとナットを螺合して構造材側に組付け、頭部側を接合面より突出させるようにしているため、接合面からボルト頭部の突出量を一定にすることがむずかしく、ボルト頭部の前記接合面からの突出状態にする保持手段を備えていないので、構造材に横架材を組合わせる際、該ボルト頭部が構造材側に後退して不都合が生じる場合もある。
【０００５】
本発明は、斯様な従来例の欠点を除去し、市販のボルト等を利用できるようにして比較的安価に実施することのできる横架材の接合装置を提供すべく創案したものである。
【課題を解決するための手段】
【０００６】
柱や胴差などの構造材の、梁や桁などの横架材との接合面に前記構造材方向に漸次縮径するテーパ部を備えた受支突子を突設し、該受支突子を係合する係合溝を前記接合面に当接する前記横架材の端面に設けると共に、前記横架材には、前記テーパ部に掛止する掛止杆の嵌挿孔を横設した、木造建物における横架材の接合装置であって、前記構造材と該構造材に組付けたボルトの頭部又は螺杆に螺合したナットとの間に前記ボルト又は螺杆を貫通させた受支筒を介在させて前記受支突子を構成し、受支筒に前記テーパ部を設けた構成としたものである。
【発明の効果】
【０００７】
本発明によれば、横架材を構造材に確実に接合することができる装置を提供することができることは勿論、受支筒にボルト又は螺杆を貫通させて受支突子を構成するのでボルト又は螺杆は市販のものを利用することができ、従って、前記従来例のように特別な形状のボルトを用意する必要なく、しかも、構造材の接合面からの受支突子の突出量を一定に保て、横架材と構造材の組合わせを支障なく行うことができる。
【実施例】
【０００８】
図面は本発明に係る木造建物における横架材の接合装置の実施例を示し、図１は縦断面図、図２は図１の一部拡大図、図３は横断面図、図４は受支突子の構成材の斜視図、図５は第二実施例の横断面図である。
【０００９】
図中、１は柱で、柱１の横架材２との接合面１ａには受支突子３を縦方向に並べて突設してある。
【００１０】
受支突子３は、前記柱１に横設した貫通孔４に、一対の座金５，６と該座金５，６間に介在させた受支筒７に貫通させたボルト（市販の六角ボルトで成る）８の先端を前記接合面１ａ側から貫通させ、接合面１ａに相対する柱１の他側面１ｂから突出する該ボルト８の先端にナット９を螺合、締付けて、前記接合面１ａ側に突設し、ボルト８を貫通させた前記座金５，６と該座金５，６間に介在する前記受支筒７およびこれらを前記柱１とで挟持する、ボルト８の頭部８ａとで構成したものである。
【００１１】
この受支突子３を構成する前記受支筒７は、一端を最大径部として他の一端方向に漸次縮径させて構成した、一端側のテーパ部７ａと他の一端側の直筒部７ｂとで成り、テーパ部７ａ側をボルト頭部８ａ側に配し、前記横架材２に嵌挿する掛止杆１０がテーパ部７ａに掛止する（載置する）ことによってテーパ部７ａの傾斜に沿って柱１側に移動し、それに伴って横架材２が柱１側に移動すなわち引寄せが行われ、柱１と横架材２の安定した接合状態を得られるようにしたものである。
【００１２】
横架材２は、柱１の前記接合面１ａと当接（接合）する端面２ａに縦設した係合溝１１を備え、該係合溝１１を、断面方形状の、開口端側の大径部１１ａと該大径部１１ａの奥壁の両隅部にスリット状にして連通させた小径部１１ｂ，１１ｂとで構成し、この係合溝１１の小径部１１ｂに基端側を嵌挿するようにして補強板１２を係合溝１１（大径部１１ａ）の側壁内側に重ね合わせ、該補強板１２の基端側に縦方向に並べて設けた透孔１３，１３，１３に横架材２端部に係合溝小径部１１ｂ，１１ｂを横切るようにして設けた取付け用嵌挿孔１４，１４，１４を通じて固定杆（ドリフトピン）１５を打込み、嵌挿して、一対の前記補強板１２，１２を空隙（前記受支突子３を収納するに足る径幅の有る）１８を存して相対して前記係合溝１１部に組付け、係合溝１１すなわち空隙１８を横切るようにして、空隙１８（係合溝１１）内に係合したときの前記受支突子３を介する位置にして上下一対三組の嵌挿孔１６，１６´を設けたものである。
【００１３】
嵌挿孔１６，１６´は、横架材２の端部に係合溝１１の大径部１１ａを横切るようにして設けた貫通孔と補強板１２側に設けた透孔を互いに一致させて構成し、上嵌挿孔１６には前記掛止杆１０を、下嵌挿孔１６´には係止杆１７を適宜（図１では最下位の下嵌挿孔１６´のみに係止杆１７を嵌挿してあるが、他の下嵌挿孔１６´，１６´に係止杆を嵌挿しても良い）嵌挿するようにして用いるのである。
【００１４】
そして、横架材２を柱１の接合面１ａに沿って降下させて該横架材２を柱１に接合する場合は、横架材２の最上位の嵌挿孔１６に係止杆１０を嵌挿、打込むようにして該横架材２端部に該掛止杆１０を横設して、該横架材２端部の係合溝１１乃至空隙１３を受支突子３の直上に位置させて降下させると、受支突子３を係合溝１１すなわち補強板１２，１２間の前記空隙１８内に相対的に係合しつつ横架材２（の端部）は降下し、この降下に伴って、横架材２端部の上部側に横設した掛止杆１０も降下し、ついには、柱１の接合面１ａに突設した最上位の受支突子３の受支筒７部に受支され、横架材２は掛止杆１０の受支突子３（受支筒７）に対する掛止関係によって柱１に仮接合される。
【００１５】
なお、この仮接合時（掛止杆１０を受支突子３に載置するとき）に、掛止杆１０は受支筒７のテーパ部７ａの傾斜によって柱１方向に移動することになり、これに伴って横架材２も柱１側に移動、引き寄せられ、安定した（仮）接合状態を得られる。因みに、各部材の相対的な位置関係は、この引寄せ操作が行われるべく設定、加工してあることは勿論である。
【００１６】
この仮接合状態にあって、各組の上位側の嵌挿孔１６に他の掛止杆１０を、最下位の下位側の嵌挿孔１６´に前記係止杆１７を相前後して嵌挿、打込むことによって（このとき、掛止杆１０や係止杆１７が受支筒７に圧接して受支筒７に回動方向の外力が負荷されることになるが、該受支筒７を貫通するボルト８側には当該外力が作用しないので、ナット９によるボルト８の締付け状態が緩むことはない）横架材２は柱１に接合される。
【００１７】
掛止杆１０や係止杆１７の打込み操作時に、各杆１０，１７が受支筒７のテーパ部７ａ（の外周面）に強制的に接してこれを押圧する（位置関係や形状にしてある）ため、横架材２の柱１方向への引寄せ操作が行われる。
【００１８】
接合状態にあって、掛止杆１０は柱１側の受支突子３に掛止され、受支突子３は掛止杆１０を介して横架材２側の荷重を受ける。また、係止杆１７は、最下位の受支突子３の受支筒テーパ部７ａの下縁に接することにより横架材２の柱１に沿う上昇を防ぐと共に、各掛止杆１０とで受支突子３を挟持することにより（例えば、最下位の受支突子３の場合、その受支筒テーパ部７ａの上縁側に係止杆１０が接して位置することになるから該掛止杆１０と最下位の受支突子３の受支筒テーパ部７ａの下縁に接する係止杆１７とで最下位の受支突子３を挟持することになる）、横架材２の柱１からの離脱を防止する。
【００１９】
実施例の一方の座金５は、ナット９による締付けによって受支突子３の受支筒７が柱１の接合面１ａに滅り込むのを防ぐためで、この結果、各受支突子３，３，３の接合面１ａからの突出量が一定に保たれ、嵌挿孔１６，１６´との関係等各部材の相対的な位置関係設計通りの状態にすることができる。
【００２０】
なお、図５で示すように、ボルト８の先端側に座金５，６と受支筒７を組合わせてボルト頭部８ａに代えてナット８´を用いるようにして受支突子３を形成し、横架材３と柱１を介して相対する他の横架材３´を柱１に接合するようにしても良い。この場合、柱１と受支突子３および横架材３´の組合わせ関係の詳細な説明は省略するが、残余の点は図１や図２で説明した第１実施例の場合と同様である。
【００２１】
図５のボルト８に代えて両端に頭部のない螺杆を用い、該螺杆に図５で示すようなナットを用いるようにしても良い。
【００２２】
なお、ボルトの螺子杆（脚杆）は請求項でいう「螺杆」を構成することはいうまでもない。
【００２３】
また、横架材２を柱１の接合面１ａに沿って上昇させて係合溝１１（空隙１８）に各受支突子３，３，３を納めるようにして、最下位の嵌挿孔１６´に予め嵌挿して横架材２に組付けておいた係止杆１７を最下位の受支突子３に係止させ、しかる後、嵌挿孔１６に掛止杆１０を嵌挿し（必要に応じて嵌挿孔１６´に係止杆１７を嵌挿組付けて）て図１に示すような接合状態を得ても良い。横架材２を上昇させて受支突子３と係合溝１１等に係合する、このやり方は、既設の横架材に代えて新規の横架材を柱に接合、取替えを行う際に好適で、図１のような状態にして新設の横架材の柱１に接合した後、新設の横架材の上方に位置する旧横架材を切断取り除く方法を採ることができる。
【図面の簡単な説明】
【００２４】
【図１】縦断面図。
【図２】図１の一部拡大図。
【図３】横断面図。
【図４】受支突子の構成材の斜視図。
【図５】第二実施例の横断面図。
【符号の説明】
【００２５】
１      柱
２      横架材
３      受支突子
７      受支筒
７ｂ    テーパ部
８      ボルト
１０    掛止杆
１６    嵌挿孔
【図１】
2005097913.tif 000003
【図２】
2005097913.tif 000004
【図３】
2005097913.tif 000005
【図４】
2005097913.tif 000006
【図５】
2005097913.tif 000007